(57)【特許請求の範囲】
【請求項１】
無線基地局からサービングセル及び周辺セルのキャリア周波数を表す情報を取得するパラメータ取得部と、
前記パラメータ取得部により取得されたサービングセル及び周辺セルのキャリア周波数を表す情報に基づいて、前記サービングセル及び周辺セルの無線品質を測定する際の測定帯域を調整する測定帯域管理部と、
該測定帯域管理部により調整された測定帯域に基づいて、前記サービングセル及び周辺セルの無線品質を測定する測定部と
を有し、
前記測定帯域管理部は、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整する、移動局。
【請求項２】
無線基地局からサービングセル及び周辺セルのキャリア周波数を表す情報を取得するパラメータ取得部と、
前記パラメータ取得部により取得されたサービングセル及び周辺セルのキャリア周波数を表す情報に基づいて、前記サービングセル及び周辺セルの無線品質を測定する際の測定帯域を調整する測定帯域管理部と、
該測定帯域管理部により調整された測定帯域に基づいて、前記サービングセル及び周辺セルの無線品質を測定する測定部と
を有し、
前記測定帯域管理部は、前記サービングセルの帯域内に、前記周辺セルのキャリア周波数が含まれる場合、前記周辺セルのキャリア周波数の中心周波数を含む帯域に、測定帯域を調整し、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整する、移動局。
【請求項３】
無線基地局からサービングセル及び周辺セルのキャリア周波数を表す情報を取得するパラメータ取得部と、
前記パラメータ取得部により取得されたサービングセル及び周辺セルのキャリア周波数を表す情報に基づいて、前記サービングセル及び周辺セルの無線品質を測定する際の測定帯域を調整する測定帯域管理部と、
該測定帯域管理部により調整された測定帯域に基づいて、前記サービングセル及び周辺セルの無線品質を測定する測定部と
を有し、
前記測定帯域管理部は、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整し、前記サービングセルの帯域内に、前記周辺セルのキャリア周波数が含まれず、且つ前記サービングセルの帯域端から、前記周辺セルのキャリア周波数が一定の周波数範囲内でない場合、前記サービングセルのキャリア周波数の中心周波数を含む帯域と、前記周辺セルのキャリア周波数の中心周波数を含む帯域に、測定帯域を調整する、移動局。
【請求項４】
無線基地局からサービングセル及び周辺セルのキャリア周波数を表す情報を取得するパラメータ取得部と、
前記パラメータ取得部により取得されたサービングセル及び周辺セルのキャリア周波数を表す情報に基づいて、前記サービングセル及び周辺セルの無線品質を測定する際の測定帯域を調整する測定帯域管理部と、
該測定帯域管理部により調整された測定帯域に基づいて、前記サービングセル及び周辺セルの無線品質を測定する測定部と
を有し、
前記測定帯域管理部は、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整し、前記サービングセルの帯域内に、前記周辺セルのキャリア周波数が含まれず、且つ前記サービングセルの帯域と、前記周辺セルの帯域同士が重複しない場合、前記サービングセルのキャリア周波数の中心周波数を含む帯域と、前記周辺セルのキャリア周波数の中心周波数を含む帯域に、測定帯域を調整する、移動局。
【請求項５】
前記測定部により測定されたサービングセルの無線品質の測定結果に基づいて、圏内であるか或いは圏外であるかを判定する判定部
を有する、請求項１乃至４のいずれか１項に記載の移動局。
【請求項６】
前記測定部により測定されたサービングセル及び周辺セルの無線品質の測定結果に基づいて、セルリセレクションを行うか否かを判定する判定部
を有する、請求項１乃至５のいずれか１項に記載の移動局。
【請求項７】
所定のフィルタ係数を用いて、前記測定部により測定されたサービングセル及び周辺セルの無線品質の測定結果をフィルタリングするフィルタリング部と、
前記無線基地局へ、前記フィルタリング部によりフィルタリングされた無線品質の測定結果を通知するか否かを判定する判定部と
を有する、請求項１乃至６のいずれか１項に記載の移動局。
【請求項８】
無線基地局からサービングセル及び周辺セルのキャリア周波数を表す情報を取得するパラメータ取得ステップと、
前記パラメータ取得ステップにより取得されたサービングセル及び周辺セルのキャリア周波数を表す情報に基づいて、前記サービングセル及び周辺セルの無線品質を測定する測定帯域を調整する測定帯域管理ステップと、
該測定帯域管理ステップにより調整された測定帯域に基づいて、前記サービングセル及び周辺セルの無線品質を測定する測定ステップと
を有し、
前記測定帯域管理ステップは、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整する、移動局における通信方法。
【発明の詳細な説明】
【技術分野】
【０００１】
本発明は、無線通信システムに関する。
【背景技術】
【０００２】
複数のセルが設けられている移動通信システムでは、移動局（ユーザ装置（ＵＥ：  Ｕｓｅｒ  Ｅｑｕｉｐｍｅｎｔ））は、１つのセルから他のセルに移動するときに、セルを切り替えて通信を継続するように構成されている。かかるセルの切り替えは、「Ｍｏｂｉｌｉｔｙ制御」、より具体的には、「セルリセレクション」又は「ハンドオーバ」と呼ばれている。
【０００３】
移動局は、周辺セルからの信号の受信電力又は受信品質が、サービングセル（Ｓｅｒｖｉｎｇ  Ｃｅｌｌ）からの信号の受信電力又は受信品質よりも強くなった場合に、周辺セルに対して、セルリセレクション又はハンドオーバを行う。
【０００４】
セルリセレクションは、待ち受け状態（すなわち、Ｉｄｌｅ状態）の移動局がサービングセルから周辺セルに遷移する処理である。ハンドオーバは、通信状態（すなわち、Ｃｏｎｎｅｃｔｅｄ状態）の移動局がサービングセルから周辺セルに遷移する処理である。
【０００５】
すなわち、移動局は、待ち受け状態であっても、また、サービングセルとの間でデータの送受信を行っている状態であっても、サービングセル及び周辺セルからの信号の受信電力又は受信品質を測定する。
【０００６】
なお、周辺セル又はサービングセルからの信号の受信電力は、例えば、周辺セル又はサービングセルから送信される「下りリンクの参照信号（ＲＳ：  Ｒｅｆｅｒｅｎｃｅ  Ｓｉｇｎａｌ）の受信電力（ＲＳＲＰ：  Ｒｅｆｅｒｅｎｃｅ  Ｓｉｇｎａｌ  Ｒｅｃｅｉｖｅｄ  Ｐｏｗｅｒ）」である。また、受信品質は、例えば、「ＲＳＲＰと、下りリンクの全受信電力（ＲＳＳＩ：  Ｒｅｃｅｉｖｅｄ  Ｓｉｇｎａｌ  Ｓｔｒｅｎｇｔｈ  Ｉｎｄｉｃａｔｏｒ）との相対比である受信品質（ＲＳＲＱ：  Ｒｅｆｅｒｅｎｃｅ  Ｓｉｇｎａｌ  Ｒｅｃｅｉｖｅｄ  Ｑｕａｌｉｔｙ）である（例えば、非特許文献１参照）。
【０００７】
ここで、移動局が、サービングセルや周辺セルの受信電力や受信品質を正確に測定できない場合について説明する。例えば、実際よりも高く、又は、低く、移動局がサービングセルや周辺セルの受信電力や受信品質を判定した場合について説明する。この場合、引き続き在圏するサービングセルや、移動する周辺セルにおいて、移動局に対して、適切な移動通信サービスを提供することができなくなる。このため、ユーザにとってのサービス品質が劣化する。
【０００８】
すなわち、セルリセレクション又はハンドオーバにおいては、より正確な測定が必要であると言える。
【０００９】
また、移動局は、待ち受け状態においては、セルリセレクションのための測定に加えて、サービングセルの受信電力や受信品質に基づき、圏内／圏外判定を行う。例えば、移動局は、サービングセルからの信号の受信電力や受信品質と、所定閾値とを比較する。移動局は、サービングセルからの信号の受信電力や受信品質が所定閾値以下である場合に、圏外であると判定し、それ以外の場合に、圏内であると判定する。
【００１０】
所定閾値は、ネットワーク、すなわち、無線基地局からシグナリングによって通知されてもよい。例えば、ＬＴＥ（Ｌｏｎｇ  Ｔｅｒｍ  Ｅｖｏｌｕｔｉｏｎ）方式では、所定閾値は、「Ｑｒｘｌｅｖｍｉｎ」や「Ｑｑｕａｌｍｉｎ」と呼ばれる。
【００１１】
ここで、移動局が、圏内であるにも関わらず圏外であると判定した場合、移動通信サービスを提供可能なエリアにおいて、移動局に対して、移動通信サービスを提供することができなくなる。このため、ユーザにとってのサービス品質が劣化する。
【００１２】
一方、移動局が、圏外であるにも関わらず圏内であると判定した場合、すなわち、通信が成立しないほど無線品質が悪いにも関わらず圏内であると判定した場合、ユーザは、自分が圏外にいることを認識できない。圏外であるにも関わらず圏内であると判定することは、サービス品質上好ましくない。
【００１３】
すなわち、圏内／圏外判定においても、正確に、受信電力や受信品質を測定することが必要である。言い換えれば、受信電力や受信品質の測定結果が不正確である場合には、サービス品質の劣化を引き起こす。
【００１４】
ここで、移動局における受信電力や受信品質の測定については、特に規定されていない。つまり、測定帯域幅や測定区間（測定時間）は、実装依存となっている。
【００１５】
ＬＴＥ方式の移動通信システムについて説明する。ＬＴＥ方式の移動通信システムは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）やＨＳＤＰＡ（Ｈｉｇｈ  Ｓｐｅｅｄ  Ｄｏｗｎｌｉｎｋ  Ｐａｃｋｅｔ  Ａｃｃｅｓｓ）の後継となる移動通信システムである。
【００１６】
ＬＴＥでは、移動局が測定する下りリンクの参照信号は、周波数軸方向にも時間軸方向にも分散して配置されている（例えば、非特許文献２参照）。移動局は、ある一定の精度を満たす範囲であれば、測定帯域幅や測定区間について任意に設定できる。
【００１７】
次に、ＬＴＥ方式の移動通信システムについて説明する。
【００１８】
図１は、システム帯域幅の一例を示す。
【００１９】
ＬＴＥ方式の移動通信システムでは、無線基地局及びユーザ装置の能力に応じて６リソースブロック（ＲＢ：  Ｒｅｓｏｕｒｃｅ  Ｂｌｏｃｋ)〜１００リソースブロックまでの可変システム帯域幅を用いることができる。例えば、６リソースブロックのシステム帯域幅が用いられてもよく、５０リソースブロックのシステム帯域幅が用いられてもよく、１００リソースブロックのシステム帯域幅が用いられてもよい。リソースブロックとは、周波数方向の1送信単位であり、１リソースブロックの周波数帯域幅は１８０ｋＨｚである（例えば、非特許文献３、４参照)。尚、ＬＴＥでは、システム帯域幅は、「ＣｈａｎｎｅｌＢａｎｄｗｉｄｔｈ」とも呼ばれる。
【先行技術文献】
【非特許文献】
【００２０】
【非特許文献１】３ＧＰＰ  ＴＳ３６.２１４  Ｖ１０.１.０  ２０１１−０３
【非特許文献２】３ＧＰＰ  ＴＳ３６.２１１  Ｖ１０.３.０  ２０１１−０３
【非特許文献３】３ＧＰＰ  ＴＳ３６.１０１  Ｖ１０.４.０  ２０１１−０９
【非特許文献４】３ＧＰＰ  ＴＳ３６.１０４  Ｖ１０.４.０  ２０１１−０９
【非特許文献５】３ＧＰＰ  ＴＳ３６.２１３  Ｖ１０.３.０  ２０１１−０９
【発明の概要】
【発明が解決しようとする課題】
【００２１】
ＬＴＥ方式の移動通信システムにおいては、移動局が測定する下りリンクの参照信号（Ｒｅｆｅｒｅｎｃｅ  Ｓｉｇｎａｌ）は、周波数軸方向にも時間軸方向にも分散して配置されている。ＬＴＥ方式の移動通信システムでは、ある一定の測定精度さえ満たせば、その測定帯域、測定帯域幅や測定区間について任意に設定できる。
【００２２】
図２は、同期チャネルや物理報知チャネルが送信される帯域を示す。
【００２３】
１．４ＭＨｚから２０ＭＨｚまでの可変のシステム帯域幅を有するＬＴＥでは、そのシステム帯域の中心の６リソースブロックで、同期チャネル(Ｓｙｎｃｈｒｏｎｉｚａｔｉｏｎ  Ｃｈａｎｎｅｌ)や物理報知チャネル(Ｐｈｙｓｉｃａｌ  Ｂｒｏａｄｃａｓｔ  Ｃｈａｎｎｅｌ)が送信される。換言すれば、どのようなシステム帯域幅においても、中心の６リソースブロックは必ず送信されることになる。
【００２４】
よって、ＬＴＥ方式の移動通信システムにおいては一般的に、移動局は、システム帯域幅の中心の６リソースブロックを測定する。すなわち、自セルや隣接セルが１００リソースブロックのシステム帯域幅に対応する場合であっても、中心の６リソースブロックを測定する。
【００２５】
移動局は、できるだけ狭帯域にて、サービングセル及び周辺セルにおける無線品質の測定を行う。移動局は、できるだけ短区間において、サービングセル及び周辺セルにおける無線品質の測定を行う。処理負荷の低減効果やバッテリーセービング効果を得るためである。
【００２６】
また、一般に、測定帯域幅が広ければ広いほど、測定精度は、向上する。また、一般に、測定区間が長ければ長いほど、測定精度は、向上する。しかし、測定精度の向上にも限界がある。このため、例えば、移動局は、キャリア周波数を中心とする所定帯域の信号を用いて、無線品質の測定を行うようにされてもよい。該所定帯域は、システム帯域幅より狭い。
【００２７】
しかし、例えば、システム帯域幅の中心の６リソースブロックに、測定帯域幅を限定すると、適切に他セルからの干渉量を測定できない場合がある。特に、システム帯域幅内の無線品質が、周波数帯域により異なる環境においては、顕著である。適切に他セルからの干渉量を測定できない結果、適切に無線品質を測定できず、測定精度が劣化する。
【００２８】
図３、図４は、隣接するセルで設定されるキャリア周波数の一例を示す。図３、図４において、横軸は周波数である。
【００２９】
サービングセルと周辺セルとの間の関係において、キャリア周波数は異なるが、すくなくとも一部のシステム帯域が重複する場合がある。
【００３０】
図３に示される例では、セル１のシステム帯域幅は２０ＭＨｚ（１００ＲＢｓ）であり、セル２のシステム帯域幅は１０ＭＨｚ（５０ＲＢｓ）であり、セル３のシステム帯域幅は１０ＭＨｚ（５０ＲＢｓ）である。セル１のキャリア周波数の一部に、セル２のキャリア周波数が含まれる。また、セル１のキャリア周波数の一部に、セル３のキャリア周波数が含まれる。図３に示される例では、セル２のシステム帯域と、セル３のシステム帯域とは重複しない。セル１がサービングセルで、セル２及び３が周辺セルであってもよい。また、セル２がサービングセルで、セル１及び３が周辺セルであってもよい。また、セル３がサービングセルで、セル１及び２が周辺セルであってもよい。
【００３１】
図４に示される例では、セル１のシステム帯域幅は１０ＭＨｚ（５０ＲＢｓ）であり、セル２のシステム帯域幅は５ＭＨｚ（２５ＲＢｓ）であり、セル３のシステム帯域幅は５ＭＨｚ（２５ＲＢｓ）である。セル１のシステム帯域の一部に、セル２のシステム帯域が含まれる。また、セル１のシステム帯域の一部に、セル３のシステム帯域が含まれる。図４に示される例では、セル２のシステム帯域と、セル３のシステム帯域とは重複しない。セル１がサービングセルで、セル２及び３が周辺セルであってもよい。セル２がサービングセルで、セル１及び３が周辺セルであってもよい。また、セル３がサービングセルで、セル１及び２が周辺セルであってもよい。
【００３２】
図３、図４に示される例では、ともにセル１のキャリア周波数の周辺帯域がセル２及び３のシステム帯域の間に位置し、該位置の無線品質はシステム帯域が重複する帯域と異なる。
【００３３】
このような場合、システム帯域幅の中心の特定帯域幅（例えば、６リソースブロック）にて測定を実施すると、特に、ＲＳＲＱ測定など、周辺セルからの電力（サービングセルから見ると干渉）測定が必要な場合、その測定精度の劣化が起きる場合がある。つまり、適切な測定が実施できない。
【００３４】
具体例について説明する。
【００３５】
図５は測定精度の劣化が生じる場合の例を示す。
【００３６】
図５に示される例では、サービングセルの帯域幅が１０ＭＨｚであり、周辺セルの帯域幅が５ＭＨｚである。サービングセルのシステム帯域に、２つの周辺セルのシステム帯域が含まれる。２つの周辺セルのシステム帯域は重複しない。
【００３７】
サービングセルのキャリア周波数と、周辺セルのキャリア周波数と、各セルの信号の配置関係により、特定帯域（この場合、１０ＭＨｚのサービングセルのキャリア周波数付近）において、５ＭＨｚの周辺セルからの信号による干渉が小さく見えてしまう。サービングセルにおける測定帯域の少なくとも一部に、周辺セルによる通信に利用されていない帯域が存在するためである。つまり、通信に利用されていない帯域では、周辺セルからの干渉が小さく測定される場合がある。
【００３８】
本発明は、上記の点に鑑みてなされたものであり、他セルからの干渉の測定結果の信頼性を向上させることを目的とする。
【課題を解決するための手段】
【００３９】
上記の課題を解決するために、本発明の移動局は、
無線基地局からサービングセル及び周辺セルのキャリア周波数を表す情報を取得するパラメータ取得部と、
前記パラメータ取得部により取得されたサービングセル及び周辺セルのキャリア周波数を表す情報に基づいて、前記サービングセル及び周辺セルの無線品質を測定する際の測定帯域を調整する測定帯域管理部と、
該測定帯域管理部により調整された測定帯域に基づいて、前記サービングセル及び周辺セルの無線品質を測定する測定部と
を有する、移動局として達成される。
【００４０】
前記測定管理部は、前記サービングセルの帯域内に、前記周辺セルのキャリア周波数が含まれる場合、前記周辺セルのキャリア周波数の中心周波数を含む帯域に、測定帯域を調整する、ように構成してもよい。
【００４１】
前記測定管理部は、前記サービングセルの帯域内に、前記周辺セルのキャリア周波数が含まれず、且つ前記サービングセルの帯域端から、前記周辺セルのキャリア周波数が一定の周波数範囲内であり、且つ前記サービングセルの帯域と、前記周辺セルの帯域同士が重複する場合、該重複する帯域の中心を含む帯域に、測定帯域を調整する、ように構成してもよい。
【００４２】
前記測定管理部は、前記サービングセルの帯域内に、前記周辺セルのキャリア周波数が含まれず、且つ前記サービング帯域端から、前記周辺セルのキャリア周波数が一定の周波数範囲内でない場合、前記サービングセルのキャリア周波数の中心周波数を含む帯域と、前記周辺セルのキャリア周波数の中心周波数を含む帯域に、測定帯域を調整する、ように構成してもよい。
【００４３】
前記測定管理部は、前記サービングセルの帯域内に、前記周辺セルのキャリア周波数が含まれず、且つ前記サービングセルの帯域と、前記周辺セルの帯域同士が重複しない場合、前記サービングセルのキャリア周波数の中心周波数を含む帯域と、前記周辺セルのキャリア周波数の中心周波数を含む帯域に、測定帯域を調整する、ように構成してもよい。
【００４４】
前記測定部により測定されたサービングセルの無線品質の測定結果に基づいて、圏内であるか或いは圏外であるかを判定する判定部
を有する、ように構成してもよい。
【００４５】
前記測定部により測定されたサービングセル及び周辺セルの無線品質の測定結果に基づいて、セルリセレクションを行うか否かを判定する判定部
を有する、ように構成してもよい。
【００４６】
所定のフィルタ係数を用いて、前記測定部により測定されたサービングセル及び周辺セルの無線品質の測定結果をフィルタリングするフィルタリング部と、
前記無線基地局へ、前記フィルタリング部によりフィルタリングされた無線品質の測定結果を通知するか否かを判定する判定部と
を有する、ように構成してもよい。
【００４７】
また、上記移動局が実行する通信方法として構成することもできる。
【発明の効果】
【００４８】
開示された実施例によれば、他セルからの干渉の測定結果の信頼性を向上させることができる。
【図面の簡単な説明】
【００４９】
【図１】可変システム帯域幅の例を示す図
【図２】ユーザ装置による測定帯域を示す図
【図３】異なるシステム帯域幅のセル間の周波数関係（その１）を示す図
【図４】異なるシステム帯域幅のセル間の周波数関係（その２）を示す図
【図５】異なるシステム帯域幅のセル間の信号関係を示す図
【図６】移動通信システムの一実施例を示す図である。
【図７】移動局の一実施例を示す図である。
【図８】移動局の一実施例を示す機能ブロック図である。
【図９】移動局の動作の一実施例を示すフローチャートである。
【図１０】サービングセルの帯域と、周辺セルの帯域との関係を示す図である。
【図１１】移動局の動作の一実施例を示すフローチャートである。
【図１２】移動局の動作の一実施例を示すフローチャートである。
【図１３】移動局の動作の一実施例を示すフローチャートである。
【発明を実施するための形態】
【００５０】
以下、図面に基づいて、実施例を説明する。
なお、実施例を説明するための全図において、同一機能を有するものは同一符号を用い、繰り返しの説明は省略する。
【００５１】
＜実施例＞
＜移動通信システム＞
図６は、移動通信システムの一実施例を示す。
【００５２】
移動通信システムの一実施例には、移動局（ＵＥ：  Ｕｓｅｒ  Ｅｑｕｉｐｍｅｎｔ）１００と、無線基地局（ｅＮＢ：  ｅＮｏｄｅＢ）２００が含まれる。
【００５３】
移動通信システムの一実施例では、ＬＴＥ方式の移動通信システムについて説明される。ＬＴＥ方式の移動通信システムに限らず、他の移動通信システムに適用されてもよい。例えば、ＬＴＥ−Ａｄｖａｎｃｅｄ方式の移動通信システムに適用されてもよい。
【００５４】
移動通信システムの一実施例では、無線アクセス方式として、下りリンクでは「ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式」が適用され、上りリンクでは「ＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式」が適用される。
【００５５】
ＯＦＤＭ方式は、特定の周波数帯域を複数の狭い周波数帯域に分割し、各周波数帯域上にデータを載せて伝送を行う方式である。該狭い周波数帯域は、サブキャリアとも呼ばれる。ＯＦＤＭ方式によれば、サブキャリアを周波数軸上で一部重なりあいながらも互いに干渉することなく密に並べることで、高速伝送を実現し、周波数の利用効率を上げることができる。
【００５６】
ＳＣ-ＦＤＭＡ方式は、特定の周波数帯域を分割し、複数の移動局１００の間で異なる周波数帯域を用いて伝送する。複数の移動局１００の間で異なる周波数帯域を用いて伝送することにより、複数の移動局１００の間における干渉を低減することができる。ＳＣ-ＦＤＭＡ方式によれば、送信電力の変動が小さくなる特徴を有することから、移動局１００の低消費電力化及び広いカバレッジを実現することができる。
【００５７】
無線基地局２００は、物理下りリンク制御チャネル（ＰＤＣＣＨ：  Ｐｈｙｓｉｃａｌ  Ｄｏｗｎｌｉｎｋ  Ｃｏｎｔｒｏｌ  Ｃｈａｎｎｅｌ）を介して下りリンク制御信号を送信する。また、無線基地局２００は、物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）を介して下りリンクデータ信号を送信する。
【００５８】
移動局１００は、物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）を介して上りリンクデータ信号を送信する。
【００５９】
＜移動局１００＞
図７は、移動局１００の一実施例を示す。図７には、主にハードウェア構成が示される。
【００６０】
移動局１００は、ユーザが通信することができる適切な如何なる端末でもよく、例えば、携帯電話、情報端末、パーソナルディジタルアシスタント、携帯用パーソナルコンピュータ、スマートフォン等のユーザ端末が含まれるが、これらに限定されない。
【００６１】
移動局１００は、無線通信回路１０２と、ＣＰＵ１０４と、主記憶部１０６と、補助記憶部１０８と、入出力部１１０とを有する。補助記憶部１０８は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードに含まれてもよい。
【００６２】
無線通信回路１０２は、無線基地局２００との間で無線通信を行う。
【００６３】
ＣＰＵ１０４は、無線通信回路１０２、主記憶部１０６、補助記憶部１０８、及び入出力部１１０の制御を行う。ＣＰＵ１０４は、主記憶部１０６に記憶されたプログラムに従って機能し、所定の処理を行う。
【００６４】
主記憶部１０６は、アプリケーションと、オペレーティングシステム（ＯＳ  Ｏｐｅｒａｔｉｎｇ  Ｓｙｓｔｅｍ）とを有する。アプリケーションは、ユーザが移動局１００上で実行する作業を実施する機能を有するソフトウェアである。ＯＳは、移動局１００において、ハードウェアを抽象化したインターフェースをアプリケーションソフトウェアに提供するソフトウェアである。
【００６５】
入出力部１１０は、例えば、キーボードやマウスにより構成され、移動局１００への指示や、データの入力を行うための装置である。また、入出力部１１０は、タッチパネルにより構成されてもよい。また、入出力部１１０は、例えば、マイクにより構成され、ユーザにより発せられた音声を入力する。音声には、着信者へのメッセージや、移動局１００への指示が含まれてもよい。指示には、ＯＳに対するものや、アプリケーションに対するものが含まれる。
【００６６】
また、入出力部１１０は、例えば、ディスプレイにより構成され、移動局１００による処理状態や処理結果を表示する。また、入出力部１１０は、例えば、スピーカにより構成され、ユーザに対して、音を出力するようにしてもよい。処理状態や処理結果には、ＯＳやアプリケーションによるものが含まれる。ディスプレイには、液晶ディスプレイ（ＬＣＤ：  Ｌｉｑｕｉｄ  Ｃｒｙｓｔａｌ  Ｄｉｓｐｌａｙ）、ＣＲＴ（Ｃａｔｈｏｄ  Ｒａｙ  Ｔｕｂｅ）ディスプレイ、プラズマディスプレイ（ＰＤＰ：  Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイ等が含まれる。
【００６７】
＜移動局１００の機能＞
移動局１００の機能の一実施例について説明する。
【００６８】
図８は、移動局１００の機能の一実施例を示す機能ブロック図である。この機能ブロック図により表される機能は、主に、ＣＰＵ１０４により実行される。つまり、図８の機能ブロック図により表される機能は、主記憶部１０６に記憶されたアプリケーションに従ってＣＰＵ１０４により実行される。ＣＰＵ１０４の内部メモリに記憶されたアプリケーション（ファームウェア）に従ってＣＰＵ１０４により実行されてもよい。
【００６９】
ＣＰＵ１０４は、測定帯域管理部１５２と、パラメータ取得部１５４と、測定部１５６と、フィルタリング部１５８と、判定部１６０と、通知部１６２として機能する。
【００７０】
測定帯域管理部１５２は、パラメータ取得部１５４から通知されたキャリア周波数に基づいて、測定帯域を管理する。また、測定帯域管理部１５２は、キャリア周波数に応じて、測定部１５６に、変更した測定条件（以下、「変更条件」という）又は変更した閾値（以下、「変更閾値」という）を通知する。
【００７１】
測定条件には、例えば、測定帯域が含まれる。
【００７２】
変更条件には、サービングセルのキャリア周波数、周辺セルのキャリア周波数が含まれる。周辺セルには、サービングセルに隣接する隣接セルが含まれる。具体的には、変更条件は、周辺セルのキャリア周波数がサービングセルのシステム帯域内に存在するか否かという条件であってもよい。また、変更条件は、周辺セルのキャリア周波数がサービングセルのシステム帯域端から一定の周波数範囲に存在し、且つシステム帯域同士が重複するか否かという条件であってもよい。
【００７３】
パラメータ取得部１５４は、無線基地局２００から、Ｍｏｂｉｌｉｔｙ制御に関するパラメータを取得する。Ｍｏｂｉｌｉｔｙ制御に関するパラメータには、例えば、周辺セルのキャリア周波数である「ＥＡＲＦＣＮ（Ｅ−ＵＴＲＡＮ  Ａｂｓｏｌｕｔｅ  Ｒａｄｉｏ  Ｆｒｅｑｕｅｎｃｙ  Ｃｈａｎｎｅｌ  Ｎｕｍｂｅｒ）」や、圏内／圏外判定に用いられる所定の閾値である「Ｑｒｘｌｅｖｍｉｎ」が含まれていてもよい。「ＥＡＲＦＣＮ」は、各セルのキャリア周波数を一意に示す絶対値である。「Ｑｒｘｌｅｖｍｉｎ」は、セルにおける最低要求受信レベル［ｄＢｍ］である。
【００７４】
また、Ｍｏｂｉｌｉｔｙ制御に関するパラメータには、セルリセレクションに関わるパラメータである「Ｑｈｙｓｔ」、「Ｑｏｆｆｓｅｔ」、「Ｔｒｅｓｅｌｅｃｔｉｏｎ」、ハンドオーバ制御に関わるパラメータである「Ｔｉｍｅ-ｔｏ-ｔｒｉｇｇｅｒ」、ヒステリシス、オフセット、フィルタ係数等が含まれていてもよい。
【００７５】
「Ｑｈｙｓｔ」は、セルリセレクションの判定の際に、サービングセルの無線品質に与えるプラスのオフセットである。「Ｑｏｆｆｓｅｔ」は、セルリセレクションの判定の際に、サービングセルの無線品質に与えるマイナスのオフセットである。「Ｔｒｅｓｅｌｅｃｔｉｏｎ」は、セルリセレクションの判定の際に用いられる時間方向のヒステリシスであり、ハンドオーバにおける「Ｔｉｍｅ-ｔｏ-ｔｒｉｇｇｅｒ」に相当するパラメータである。
【００７６】
パラメータ取得部１５４は、フィルタリング部１５８に、フィルタ係数を通知する。
【００７７】
測定部１５６は、サービングセル及び周辺セルにおける無線品質を測定する。具体的には、測定部１５６は、サービングセル及び周辺セルにおける無線品質として、サービングセル及び周辺セルからの信号の受信電力を測定する。サービングセル及び周辺セルからの信号には、参照信号（ＲＳ：  Ｒｅｆｅｒｅｎｃｅ  Ｓｉｇｎａｌ）等が含まれる。また、参照信号の受信電力は、ＲＳＲＰ（Ｒｅｆｅｒｅｎｃｅ  Ｓｉｇｎａｌ  Ｒｅｃｅｉｖｅｄ  Ｐｏｗｅｒ）と呼ばれてもよい。
【００７８】
また、測定部１５６は、サービングセル及び周辺セルにおける無線品質として、サービングセル及び周辺セルからの信号（例えば、参照信号等）の受信電力と、サービングセル及び周辺セルからの信号の帯域における全受信電力との間の相対比を測定するようにしてもよい。なお、参照信号の受信電力はＲＳＲＰと呼ばれてもよい。また、全受信電力は、ＲＳＳＩ（ＲＳＳＩ：  Ｒｅｃｅｉｖｅｄ  Ｓｉｇｎａｌ  Ｓｔｒｅｎｇｔｈ  Ｉｎｄｉｃａｔｏｒ）と呼ばれてもよい。また、相対比である受信品質はＲＳＲＱ（Ｒｅｆｅｒｅｎｃｅ  Ｓｉｇｎａｌ  Ｒｅｃｅｉｖｅｄ  Ｑｕａｌｉｔｙ）と呼ばれてもよい。
【００７９】
例えば、物理レイヤでの測定区間（Ｍｅａｓｕｒｅｍｅｎｔ  ｐｅｒｉｏｄ）は、２００ｍｓである。ただし、２００ｍｓの間で実際に測定に用いる区間は、測定精度を保つことができるのであれば、１ｍｓでもいい。
【００８０】
また、周波数軸方向の測定帯域幅（Ｍｅａｓｕｒｅｍｅｎｔ  ｂａｎｄｗｉｄｔｈ）もまた、ある一定の測定精度を満たすことができるのであれば、システム帯域幅でもいいし、システム帯域幅よりも狭くてもいい。
【００８１】
測定部１５６は、フィルタリング部１５８に、移動局１００のサービングセル及び周辺セルにおける無線品質の測定結果を通知する。
【００８２】
測定部１５６は、測定帯域管理部１５２から通知された変更条件又は変更閾値に基づいて、測定条件、例えば、測定帯域を変更する。ここで、測定帯域における測定帯域幅は、例えば、ＬＴＥ方式の移動通信システムで定義されているＲＢと呼ばれるサブキャリアの集合体の倍数によって定義されていてもよい。また、測定区間（測定時間）は、例えば、サブフレーム（Ｓｕｂｆｒａｍｅ）と呼ばれる連続するＯＦＤＭシンボルの倍数によって定義されていてもよい。
【００８３】
さらに、測定部１５６は、ＤＲＸ（Ｄｉｓｃｏｎｔｉｎｕｏｕｓ  Ｒｅｃｅｐｔｉｏｎ、間欠受信）周期ごとに、移動局１００のサービングセル及び周辺セルにおける無線品質（例えば、ＲＳＲＰやＲＳＲＱ）を測定する。
【００８４】
フィルタリング部１５８には、測定部１５６から、移動局１００のサービングセル及び周辺セルにおける無線品質の測定結果が入力される。
【００８５】
また、フィルタリング部１５８には、パラメータ取得部１５４から、フィルタ係数（所定係数）が入力される。フィルタリング部１５８は、移動局１００のサービングセル及び周辺セルにおける無線品質の測定結果、フィルタ係数に基づいて、フィルタリング結果を算出する。つまり、移動局１００において、上位レイヤが、物理レイヤによる測定値に対して、フィルタリング処理（Ｌ３  Ｆｉｌｔｅｒｉｎｇ）を行う。
【００８６】
具体的には、測定タイミングに関するインデックスを「ｍ」、フィルタリング後の測定結果を「Ｆｍ」、フィルタ係数を「ｋ」、１つ前の測定タイミングにおけるフィルタリング後の測定結果を「Ｆｍ−１」とし、測定結果を「Ｍｍ」とする。フィルタ係数「ｋ」の値は、無線基地局２００から移動局１００に対して事前に通知されていてもよい。
【００８７】
フィルタリング部１５８は、式（１）、式（２）によりフィルタリングを行う。
【００８８】
Ｆｍ＝（１−ａ）・Ｆｍ−１＋ａ・Ｍｍ      （１）
ａ＝１／２（ｋ／４）      （２）
ここで、フィルタ係数を「ａ」としてもよい。
【００８９】
フィルタリングでは、フィルタリング後の測定結果「Ｆｍ」を算出する際に、フィルタ係数「ａ」を調整することによって、最新の測定部１５６における測定結果「Ｍｍ」及び過去のフィルタリング後の測定結果「Ｆｍ−１」の寄与率を調整するようしてもよい。
【００９０】
フィルタリング部１５８は、判定部１６０に、フィルタリングされた測定結果を入力する。
【００９１】
判定部１６０には、フィルタリング部１５８から、フィルタリングされた測定結果が入力される。また、判定部１６０には、測定部１５６から、フィルタリングされていない測定結果が入力される。
【００９２】
判定部１６０は、測定部１５６からの無線品質の測定結果を用いて、圏内であるか或いは圏外であるかを判定する。つまり、判定部１６０は、圏内／圏外判定を行う。具体的には、待ち受け状態（Ｉｄｌｅ状態）において、判定部１６０は、測定部１５６からの測定結果に基づいて、圏内／圏外判定を行ってもよい。
【００９３】
また、判定部１６０は、測定部１５６からの無線品質の測定結果を用いて、セルリセレクションを行うか否かを判定するようにしてもよい。具体的には、判定部１６０は、所定期間以上継続して所定条件が満たされている場合に、セルリセレクションを行うと判定するようにしてもよい。
【００９４】
ここで、判定部１６０は、所定条件を、式（３）を満たす場合としてもよい。また、所定期間は「Ｔｒｅｓｅｌｅｃｔｉｏｎ」と呼ばれてもよい。
【００９５】
（周辺セルからの信号の受信電力）＋（Ｑｈｙｓｔ（キューヒスト））＞（サービングセルからの信号の受信電力）      （３）
判定部１６０は、フィルタリング部１５８からのフィルタリングされた測定結果を通知するか否かを判定するようにしてもよい。具体的には、判定部１６０は、所定期間以上継続して所定条件が満たされている場合に、フィルタリング部１５８からのフィルタリングされた測定結果を通知すると判定するようにしてもよい。
【００９６】
ここで、判定部１６０は、所定条件を、式（４）を満たす場合としてもよい。また、所定期間は、「Ｔｉｍｅ−ｔｏ−ｔｒｉｇｇｅｒ」と呼ばれてもよい。式（４）において、「ヒステリシス」は予め設定されてもよい。
【００９７】
（周辺セルからの信号の受信電力）＋（ヒステリシス）＞（サービングセルからの信号の受信電力）      （４）
判定部１６０は、通知部１６２へ、判定結果を入力する。通知部１６２は、判定部１６０からの判定結果が測定結果を通知することを表す場合、無線基地局２００へ、測定結果を通知する。具体的には、通知部１６２は、無線基地局２００へ、ＰＵＳＣＨを介して、測定結果を通知する。つまり、通知部１６２は、測定結果を含むＰＵＳＣＨを送信する。測定結果は、「Ｍｅａｓｕｒｅｍｅｎｔ  Ｒｅｐｏｒｔ」と呼ばれてもよい。
【００９８】
＜移動通信システムの動作（その１）＞
図９は、移動通信システムの動作の一実施例を示す。具体的には、移動局１００により無線品質の測定が実行される際の動作が示される。
【００９９】
ステップＳ９０２では、測定帯域管理部１５２は、サービングセル及び周辺セルのキャリア周波数の周波数位置について判定する。具体的には、測定帯域管理部１５２は、パラメータ取得部１５４からのキャリア周波数に基づいて、測定帯域を管理する。測定帯域管理部１５２は、周辺セルのキャリア周波数がサービングセルのシステム帯域内であるか否かを判定する。
【０１００】
図１０は、サービングセルと、周辺セルとの間の関係の例を示す。
【０１０１】
図１０に示される例では、サービングセルのシステム帯域幅は２０ＭＨｚであり、周辺セル（１）のシステム帯域幅は１０ＭＨｚであり、周辺セル（２）のシステム帯域幅は２０ＭＨｚであり、周辺セル（３）のシステム帯域幅は１０ＭＨｚである。周辺セル（１）のキャリア周波数は、サービングセルのシステム帯域内であると判定される。周辺セル（２）、（３）のキャリア周波数は、サービングセルのシステム帯域幅に含まれないため、サービングセルのシステム帯域内でないと判定される。
【０１０２】
ステップＳ９０４では、周辺セルのキャリア周波数がサービングセルのシステム帯域内にあると判定された場合、測定帯域管理部１５２は、測定部１５６に測定帯域を設定することにより、測定帯域を調整する。具体的には、測定帯域管理部１５２は、サービングセル、該サービングセルの周辺セルともに、測定帯域として、周辺セルのキャリア周波数を中心とする所定帯域を設定する。つまり、図１０に示される例では、周辺セル（１）のキャリア周波数を中心とする所定帯域に設定する。
【０１０３】
ステップＳ９１２では、測定部１５６は、ステップＳ９０４において測定帯域管理部１５２により調整された測定帯域に基づいて、サービングセル及び周辺セルの無線品質を測定する。
【０１０４】
ステップＳ９０６では、周辺セルのキャリア周波数がサービングセルのシステム帯域内にないと判定された場合、測定帯域管理部１５２は、周辺セルのキャリア周波数がサービングセルのシステム帯域の端から一定の範囲内であり、且つ該周辺セルのシステム帯域がサービングセルのシステム帯域と少なくとも一部重複するか否かを判定する。
【０１０５】
図１０に示される例では、周辺セル（２）は、周辺セルのキャリア周波数がサービングセルのシステム帯域の端から一定の範囲内であり、且つ該周辺セルのシステム帯域がサービングセルのシステム帯域と少なくとも一部重複すると判定される。また、周辺セル（３）は、周辺セルのキャリア周波数がサービングセルのシステム帯域の端から一定の範囲内であり、且つ該周辺セルのシステム帯域がサービングセルのシステム帯域と少なくとも一部重複すると判定されない。サービングセルのキャリア周波数と、周辺セル（３）のキャリア周波数とは重複しないためである。
【０１０６】
ステップＳ９０８では、周辺セルのキャリア周波数がサービングセルのシステム帯域の端から一定の範囲内であり、且つ該周辺セルのシステム帯域がサービングセルのシステム帯域と少なくとも一部重複すると判定された場合、測定帯域管理部１５２は、サービングセル、周辺セルの双方の帯域が存在する帯域の中心を中心とする所定帯域に、測定帯域を調整する。つまり、測定帯域管理部１５２は、サービングセル、該サービングセルの周辺セルの両方の測定帯域を、該サービングセルの帯域と、該周辺セルの帯域とが重複するサービングセルのキャリア周波数の中心を中心とする所定帯域に設定する。
【０１０７】
ステップＳ９１２では、測定部１５６は、ステップＳ９０８において測定帯域管理部１５２により調整された測定帯域に基づいて、サービングセル及び周辺セルの無線品質を測定する。
【０１０８】
ステップＳ９１０では、周辺セルのキャリア周波数がサービングセルのシステム帯域の端から一定の範囲内でなく、又は該周辺セルのシステム帯域がサービングセルのシステム帯域と重複しないと判定された場合、測定帯域管理部１５２は、サービングセル及び周辺セルの測定帯域をそれぞれのキャリア周波数を中心とする所定帯域に設定する。
【０１０９】
ステップＳ９１２では、測定部１５６は、ステップＳ９１０において測定帯域管理部１５２により調整された測定帯域に基づいて、サービングセル及び周辺セルの無線品質を測定する。
【０１１０】
＜移動通信システムの動作（その２）＞
図１１は、移動通信システムの動作の一実施例を示す。具体的には、移動局１００により圏内／圏外判定が実行される際の動作が示される。
【０１１１】
ステップＳ１１０２では、測定部１５６は、サービングセルからの信号の受信電力及び受信品質の少なくとも一方を測定する。測定部１５６は、判定部１６０へ、サービングセルからの信号の受信電力及び受信品質の少なくとも一方の測定結果を入力する。ここで、測定部１５６は、判定部１６０へ、変更閾値を入力するようにしてもよい。
【０１１２】
ステップＳ１１０４では、判定部１６０は、測定部１５６からの測定結果が所定閾値Ｓを下回っているか否かを判定する。判定部１６０は、測定部１５６から変更閾値が入力された場合、測定部１５６からの測定結果が変更閾値を下回っているか否かを判定するようにしてもよい。
【０１１３】
ステップＳ１１０６では、測定部１５６からの測定結果が所定閾値Ｓを下回っていると判定した場合、判定部１６０は、測定部１５６からの測定結果が所定閾値Ｓを下回った回数ｎをカウントする。判定部１６０は、予め設定される所定の周期で、測定部１５６からの測定結果が所定閾値Ｓを下回った回数ｎをカウントするようにしてもよい。
【０１１４】
一方、判定部１６０により、測定部１５６からの測定結果が所定閾値Ｓを下回っていないと判定された場合、ステップＳ１１０２に戻る。
【０１１５】
ステップＳ１１０８では、判定部１６０は、測定部１５６からの測定結果が所定閾値Ｓを下回った回数ｎが、所定の回数Ｎを上回ったか否かを判定する。
【０１１６】
ステップＳ１１１０では、判定部１６０により測定部１５６からの測定結果が所定閾値Ｓを下回った回数ｎが所定の回数Ｎを上回ったと判定された場合、測定部１５６はサービングセル及び周辺セルからの信号の受信電力及び受信品質の少なくとも一方を一定期間測定する。ここで、一定期間は、予め設定されてもよい。具体的には、１０秒程度であってもよい。
【０１１７】
一方、測定部１５６からの測定結果が所定閾値Ｓを下回っていた回数ｎが所定の回数Ｎを上回っていないと判定された場合、ステップＳ１１０２に戻る。
【０１１８】
ステップＳ１１１２では、判定部１６０は、ステップＳ１１１０において一定期間測定されたサービングセル及び周辺セルからの信号の受信電力及び受信品質の少なくとも一方が、所定の閾値を下回っているか否かを判定する。
【０１１９】
ステップＳ１１１４では、一定期間測定されたサービングセル及び周辺セルからの信号の受信電力及び受信品質の少なくとも一方が所定の閾値を下回っていると判定された場合、判定部１６０は、圏外と判定する。
【０１２０】
ステップＳ１１１６では、一定期間測定されたサービングセル及び周辺セルからの信号の受信電力及び受信品質の少なくとも一方が所定の閾値を下回っていないと判定された場合、判定部１６０は、圏内と判定する。
【０１２１】
＜移動通信システムの動作（その３）＞
図１２は、移動通信システムの動作の一実施例を示す。具体的には、移動局１００によりセルリセレクションが実行される際の動作が示される。
【０１２２】
Ｓ１２０２では、測定部１５６は、サービングセル及び周辺セルからの信号の受信電力及び受信品質の少なくとも一方を測定する。
【０１２３】
Ｓ１２０４では、測定部１５６によりステップＳ１２０２において測定されたサービングセル及び周辺セルの少なくとも一方に基づいて、判定部１６０は、上述した式（３）を満たすか否かを判定する。
【０１２４】
ステップＳ１２０６では、判定部１６０は、上述した式（３）を満たすと判定した場合、セルリセレクションを実行すると判定する。つまり、移動局１００は、式（３）を満たす周辺セルへ在圏するように制御する。
【０１２５】
ステップＳ１２０８では、判定部１６０は、上述した式（３）を満たさないと判定した場合、セルリセレクションを実行しないと判定する。
【０１２６】
＜移動通信システムの動作（その４）＞
図１３は、移動通信システムの動作の一実施例を示す。具体的には、移動局１００によりハンドオーバが実行される際の動作が示される。
【０１２７】
ステップＳ１３０２では、測定部１５６は、サービングセル及び周辺セルからの信号の受信電力及び受信品質の少なくとも一方を測定する。さらに、フィルタリング部１５８により、上述した式（１）、式（２）を利用して、信号の受信電力をフィルタリングしてもよい。
【０１２８】
ステップＳ１３０４では、判定部１６０は、ステップＳ１３０２において測定されたサービングセル及び周辺セルからの信号の受信電力及び受信品質の少なくとも一方に基づいて、上述した式（４）を満たすか否かを判定する。
【０１２９】
ステップＳ１３０６では、判定部１６０により上述した式（４）を満たすと判定された場合、通知部１６２は、ネットワークへ、測定結果を報告するためのイベントを報告する。測定結果を報告するためのイベントは、例えば、ＬＴＥ方式では、「イベント（Ｅｖｅｎｔ）Ａ３」と呼ばれる。
【０１３０】
一方、判定部１６０により上述した式（４）を満たすと判定されない場合、ステップＳ１３０２へ戻る。
【０１３１】
ステップＳ１３０８では、移動局１００は、イベントＡ３が報告されたセルへハンドオーバする。イベントＡ３の通知を受信したネットワークは、該イベントＡ３に係るセルへ、移動局１００をハンドオーバさせることを決定する。
【０１３２】
上述した実施例では、１種類の無線品質に対する判定基準を用いる例について説明したが、複数種類の無線品質に対する判定基準が用いられてもよい。
【０１３３】
また、サービングセル及び周辺セルにおける無線品質として、参照信号の受信電力（ＲＳＲＰ）を用いる例について説明したが、ＲＳＲＱ（Ｒｅｆｅｒｅｎｃｅ  Ｓｉｇｎａｌ  Ｒｅｃｅｉｖｅｄ  ＱｕａｌｉｔｙＰｏｗｅｒ）、ＲＳ-ＳＩＲ（Ｒｅｃｅｉｖｅｄ  Ｓｉｇｎａｌ  Ｓｔｒｅｎｇｔｈ  Ｉｎｄｉｃａｔｏｒ）、ＣＱＩ（Ｃｈａｎｎｅｌ  Ｑｕａｌｉｔｙ  Ｉｎｄｉｃａｔｏｒ）が用いられてもよい。或いは、サービングセル及び周辺セルにおける無線品質として、ＲＳＲＰ、ＲＳＲＱ、ＲＳ-ＳＩＲ、及びＣＱＩの少なくとも１つが用いられてもよい。
【０１３４】
ここで、ＲＳＲＱは、下りリンクの参照信号の受信電力を、下りリンクのＲＳＳＩで割った値である。
【０１３５】
また、ＲＳＳＩは、移動局１００において観測されるトータルの受信レベルであり、熱雑音や他セルからの干渉電力や自セルからの希望信号の電力等の全てを含む受信レベルである（例えば、非特許文献１参照）。
【０１３６】
また、ＲＳ−ＳＩＲは、下りリンクの参照信号のＳＩＲ（Ｓｉｇｎａｌ-ｔｏ-Ｉｎｔｅｒｆｅｒｅｎｃｅ  Ｒａｔｉｏ）である。
【０１３７】
また、ＣＱＩは、下りリンクの無線品質情報である（例えば、非特許文献５参照）。
【０１３８】
本実施例によれば、サービングセル及び周辺セルのキャリア周波数に基づいて測定帯域を変更することにより、他セルからの干渉を適切に測定できる。他セルからの干渉を適切に測定できるため、測定精度を一定に保ちつつ、処理負荷や消費電力を低減できる。特に、システム帯域幅内の無線品質が、周波数帯域により異なる環境において、測定精度を一定に保ちつつ、処理負荷や消費電力を低減できる。
【０１３９】
移動局は、システム帯域内に、他セルからの干渉差分がある場合であっても、適切な帯域において、測定を実施することが可能となる。このため、移動局が適切なタイミングでネットワークに対して測定結果を報告することによって、通信断を起こすことなく通信を継続することができる。また、ネットワークにおける負荷や、移動局の消費電流の抑制、更にはユーザ利便性を向上させることができる。
【０１４０】
以上に述べた本実施形態の特徴は、以下のように表現されていてもよい。
【０１４１】
本実施形態の第１の特徴は、無線基地局２００と通信する移動局１００であって、移動局１００におけるサービングセル及び周辺セルの無線品質を測定するように構成されている測定部１５６を具備する。測定部１５６は、パラメータ取得部１５４から取得したキャリア周波数を用いて、測定帯域管理部１５２によって決定された測定帯域にて、無線品質の測定を実施するように構成されることを要旨とする。この場合、測定部１５６と、パラメータ取得部１５４とは接続される。
【０１４２】
本実施形態の第１の特徴において、測定部１５６により測定された無線品質の測定結果を用いて、圏内であるか或いは圏外であるかについて判定するように構成される判定部１５６を更に具備してもよい。
【０１４３】
本実施形態の第１の特徴において、測定部１５６により測定された無線品質の測定結果を用いて、セルリセレクションを行うべきか否かについて判定するように構成される判定部１６０を更に具備してもよい。
【０１４４】
本実施形態の第１の特徴において、所定係数を用いて、測定部１５６により測定された無線品質の測定結果をフィルタリングするように構成されるフィルタリング部１５８と、フィルタリングされた測定結果を通知すべきであるか否かについて判定するように構成される判定部１６０とを更に具備してもよい。
【０１４５】
本実施形態の第２の特徴は、移動通信方法であって、移動局１００におけるサービングセル及び周辺セルの無線品質を測定する工程を有する。該無線品質を測定する工程において、サービングセルのキャリア周波数と、周辺セルのキャリア周波数との間の関係に応じて、測定帯域を決定することを要旨とする。
【０１４６】
なお、上述の無線基地局２００及び移動局１００の動作は、ハードウェアによって実施されてもよいし、プロセッサによって実行されるソフトウェアモジュールによって実施されてもよいし、両者の組み合わせによって実施されてもよい。
【０１４７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【０１４９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１５０】
１００  移動局
１０２  無線通信回路
１０４  ＣＰＵ
１０６  主記憶部
１０８  補助記憶部
１１０  入出力部
１５２  測定帯域管理部
１５４  パラメータ取得部
１５６  測定部
１５８  フィルタリング部
１６０  判定部
１６２  通知部
２００  無線基地局
【図１】
0006034574.tif 000002
【図２】
0006034574.tif 000003
【図３】
0006034574.tif 000004
【図４】
0006034574.tif 000005
【図５】
0006034574.tif 000006
【図６】
0006034574.tif 000007
【図７】
0006034574.tif 000008
【図８】
0006034574.tif 000009
【図９】
0006034574.tif 000010
【図１０】
0006034574.tif 000011
【図１１】
0006034574.tif 000012
【図１２】
0006034574.tif 000013
【図１３】
0006034574.tif 000014